(57)【要約】      （修正有）【課題】印字濃度と耐光性に優れ、特にインクジェット記録に好適な色素、該色素を含有するインク組成物、該インク組成物を用いる記録方法、及び、該色素又はインク組成物により着色された着色体の提供。【解決手段】下記式（１）で表される色素又はその塩、若しくはそれらの混合物。2014111676.tif 000026（式（１）中、ｎは０〜５の整数を表わし、Ｒ1、Ｒ2及びＲ3は、それぞれ水素原子、又は置換基を表わし、Ｘは置換基を有しても良いアルキルチオ基を表わす。）【選択図】なし【特許請求の範囲】
【請求項１】
下記式（１）で表される色素又はその塩、若しくはそれらの混合物。
【化１】
2014111676.tif 000025
（式（１）中、ｎは０〜５の整数を表わし、
Ｒ1、Ｒ2、及びＲ３は、それぞれ独立に水素原子、又は置換基を表わし、
Ｘは置換基を有してもよいアルキルチオ基を表わす。）
【請求項２】
前記式（１）におけるＲ1、Ｒ2及びＲ3が、それぞれ独立に、水素原子；アルキル基；アリールアルキル基；環構成原子として窒素原子、酸素原子、硫黄原子から選択される１乃至３つの原子を含む、５又は６員環の複素環アミノ基；環構成原子として窒素原子、酸素原子、硫黄原子から選択される１乃至３つの原子を含む、５又は６員環の複素環基に、１つのベンゼン環が縮環した縮環型５又は６員環の複素環アミノ基；アルコキシ基；アリールオキシ基；アルキルカルボニルアミノ基；カルバモイル基；ヒドロキシ基；アルキルスルホニル基；アリールチオ基；シアノ基；アミノ基；アリールアミノ基；ハロゲン原子；よりなる群から選択される基であり、
Ｘが、少なくとも１つのイオン性親水性基を有するアルキルチオ基である、請求項１に記載の色素又はその塩、若しくはそれらの混合物。
但し、該式（１）中、Ｒ1、Ｒ2及びＲ3は、水素原子、カルバモイル基、ヒドロキシ基、シアノ基、アミノ基、及びハロゲン原子であるときを除き、置換基として、イオン性親水性基をさらに有しても良い。
【請求項３】
前記式（１）におけるＸが、少なくとも１つのカルボキシ基を有するアルキルチオ基である請求項１又は２に記載の色素又はその塩、若しくはそれらの混合物。
【請求項４】
前記式（１）におけるＸが、少なくとも１つのカルボキシ基を有するＣ１−Ｃ１０アルキルチオ基である請求項１乃至３に記載の色素又はその塩、若しくはそれらの混合物。
【請求項５】
請求項１乃至４のいずれか一項に記載の式（１）で表わされる色素又はその塩、若しくはそれらの混合物、及び水を含有するインク組成物。
【請求項６】
水溶性有機溶剤をさらに含有する請求項６に記載のインク組成物。
【請求項７】
前記式（１）で表わされる色素又はその塩、若しくはそれらの混合物の総質量中に含有される無機不純物の含有量が、該色素又はその塩、若しくはそれらの混合物の総質量に対して、１質量％以下である請求項５又は６に記載のインク組成物。
【請求項８】
前記式（１）で表わされる色素又はその塩、若しくはそれらの混合物の含有量が、インク組成物の総質量に対して０．１〜２０質量％である請求項５乃至７のいずれか一項に記載のインク組成物。
【請求項９】
インクジェット記録に用いる請求項５乃至８のいずれか一項に記載のインク組成物。
【請求項１０】
請求項９に記載のインク組成物の液滴を記録信号に応じて吐出させ、被記録材に付着させることにより記録を行うインクジェット記録方法。
【請求項１１】
被記録材が情報伝達用シートである請求項１０に記載のインクジェット記録方法。
【請求項１２】
情報伝達用シートが普通紙であるか、又は多孔性白色無機物を含有したインク受容層を有するシートである、請求項１１に記載のインクジェット記録方法。
【請求項１３】
請求項１乃至４のいずれか一項に記載の色素又はその塩、若しくはそれらの混合物により着色された着色体。
【請求項１４】
請求項５乃至９のいずれか一項に記載のインク組成物により着色された着色体。
【請求項１５】
請求項１０乃至１２のいずれか一項に記載のインクジェット記録方法により着色された着色体。
【請求項１６】
請求項９に記載のインク組成物を含有する容器が装填されたインクジェットプリンタ。
【発明の詳細な説明】
【技術分野】
【０００１】
本発明は色素、及び該色素を含有する着色組成物、及びこれらにより着色された着色体に関する。
【背景技術】
【０００２】
近年、カラー画像の記録（具体的にはインクジェット記録、感熱転写記録、電子写真記録、転写式ハロゲン化銀感光記録、印刷、記録ペン等）において、色素が盛んに利用されている。また、撮影機器においてもＣＣＤなどの撮像素子、ＬＣＤ（液晶ディスプレイ）やＰＤＰ（プラズマディスプレイパネル）等のディスプレイ等において、フルカラーの画像を記録・再現するためのカラーフィルターに色素が使用されている。
フルカラーの画像を記録・再現する方法としては、加法混色法や減法混色法等が知られており、染料や顔料の中から３原色の色素が選択されて使用されている。しかしながら、目的とする色再現域を表現できる光学特性を有し、且つ様々な使用及び環境等の条件において十分な堅牢性を有する色素はしられていない。このため、色素そのものの改善が依然として強く望まれている。
【０００３】
インクジェット記録に用いるインクの１つとして、水溶性染料を水性媒体に溶解した水性インクが挙げられる。水性インクの性能としては、十分な濃度の記録画像を与えること；吐出ノズルの目詰まりを生じないこと；被記録材上での乾燥性がよいこと；滲みが少ないこと；保存安定性に優れること；等が要求される。
また、コンピューターのカラーディスプレイ上に表現されるフルカラーの画像又は文字情報をインクジェット記録するときは、できるだけ忠実な色調で、被記録材に記録できることが望ましい。その目的で、インクジェット記録に用いるイエロー（Ｙ）、マゼンタ（Ｍ）、シアン（Ｃ）の３原色それぞれのインクは、できるだけそれぞれの標準に近い色相を有し且つ鮮明であることが望まれる。
さらに、インクジェット記録により得られる画像には、耐水性、耐湿性、耐光性及び耐ガス性（ＳＯｘ、ＮＯｘ、及び特にオゾンガス等の活性ガスが挙げられる）等の画像の堅牢性が求められている。
【０００４】
特許文献１には、トリフルオロメチルカルボニル基を有する化合物を含有する発光素子が開示されている。
【先行技術文献】
【特許文献】
【０００５】
【特許文献１】特開２００３−３１７９６４号公報
【発明の開示】
【発明が解決しようとする課題】
【０００６】
本発明は、耐湿性に優れ、特にインクジェット記録に好適な色素、該色素を含有するインク組成物、該インク組成物を用いる記録方法、及び、該色素又はインク組成物により着色された着色体の提供を目的とする。
【課題を解決するための手段】
【０００７】
本発明者等は前記課題を解決すべく鋭意検討の結果、下記式（１）で表わされる特定の色素又はその塩、若しくはそれらの混合物を色素として用いることにより、前記課題を解決できることを見出し、本発明を完成させた。
即ち本発明は、以下の[１]〜[１６]に関する。
[１]
下記式（１）で表される色素又はその塩、若しくはそれらの混合物。
【０００８】
【化１】
2014111676.tif 000002
【０００９】
（式（１）中、ｎは０〜５の整数を表わし、
Ｒ1、Ｒ2、及びＲ３は、それぞれ独立に水素原子、又は置換基を表わし、
Ｘは置換基を有してもよいアルキルチオ基を表わす。）
［２］
前記式（１）におけるＲ1、Ｒ2及びＲ3が、それぞれ独立に、水素原子；アルキル基；アリールアルキル基；環構成原子として窒素原子、酸素原子、硫黄原子から選択される１乃至３つの原子を含む、５又は６員環の複素環アミノ基；環構成原子として窒素原子、酸素原子、硫黄原子から選択される１乃至３つの原子を含む、５又は６員環の複素環基に、１つのベンゼン環が縮環した縮環型５又は６員環の複素環アミノ基；アルコキシ基；アリールオキシ基；アルキルカルボニルアミノ基；カルバモイル基；ヒドロキシ基；アルキルスルホニル基；アリールチオ基；シアノ基；アミノ基；アリールアミノ基；ハロゲン原子；よりなる群から選択される基であり、
Ｘが、少なくとも１つのイオン性親水性基を有するアルキルチオ基である、前記［１］に記載の色素又はその塩、若しくはそれらの混合物。
但し、該式（１）中、Ｒ1、Ｒ2、Ｒ3は、水素原子、カルバモイル基、ヒドロキシ基、シアノ基、アミノ基、及びハロゲン原子であるときを除き、置換基として、イオン性親水性基をさらに有しても良い。
［３］
前記式（１）におけるＸが、少なくとも１つのカルボキシ基を有するアルキルチオ基である前記［１］又は［２］に記載の色素又はその塩、若しくはそれらの混合物。
［４］
前記式（１）におけるＸが、少なくとも１つのカルボキシ基を有するＣ１−Ｃ１０アルキルチオ基である前記［１］乃至［３］に記載の色素又はその塩、若しくはそれらの混合物。
［５］
前記［１］乃至［４］のいずれか一項に記載の式（１）で表わされる色素又はその塩、若しくはそれらの混合物、及び水を含有するインク組成物。
［６］
水溶性有機溶剤をさらに含有する前記［６］に記載のインク組成物。
［７］
前記式（１）で表わされる色素又はその塩、若しくはそれらの混合物の総質量中に含有される無機不純物の含有量が、該色素又はその塩、若しくはそれらの混合物の総質量に対して、１質量％以下である前記［５］又は［６］に記載のインク組成物。
［８］
前記式（１）で表わされる色素又はその塩、若しくはそれらの混合物の含有量が、インク組成物の総質量に対して０．１〜２０質量％である前記［５］乃至［７］のいずれか一項に記載のインク組成物。
［９］
インクジェット記録に用いる前記［５］乃至［８］のいずれか一項に記載のインク組成物。
［１０］
前記［９］に記載のインク組成物の液滴を記録信号に応じて吐出させ、被記録材に付着させることにより記録を行うインクジェット記録方法。
［１１］
被記録材が情報伝達用シートである前記［１０］に記載のインクジェット記録方法。
［１２］
情報伝達用シートが普通紙であるか、又は多孔性白色無機物を含有したインク受容層を有するシートである、前記［１１］に記載のインクジェット記録方法。
［１３］
前記［１］乃至［４］のいずれか一項に記載の色素又はその塩、若しくはそれらの混合物により着色された着色体。
［１４］
前記［５］乃至［９］のいずれか一項に記載のインク組成物により着色された着色体。
［１５］
前記［１０］乃至［１２］のいずれか一項に記載のインクジェット記録方法により着色された着色体。
［１６］
前記［９］に記載のインク組成物を含有する容器が装填されたインクジェットプリンタ。
【発明の効果】
【００１０】
本発明により、印字濃度と耐光性に優れ、特にインクジェット記録に好適な色素、これを含有するインク組成物、該インク組成物を用いる記録方法、及び該色素又はインク組成物により着色された着色体を提供できた。
【発明を実施するための形態】
【００１１】
本発明を詳細に説明する。
本明細書においては煩雑さを避けるため、以下においては特に断りがない限り、式（１）で表わされる「色素又はその塩、若しくはそれらの混合物」の全てを含めて、式（１）で表わされる「色素」と簡略化して記載し、それらの全てを含めた意味を有するものとする。
また、特に断りのない限り「％」及び「部」数は、いずれも質量基準で記載する。
【００１２】
本発明の色素は、置換基の種類等を選択することにより、マゼンタ〜バイオレットの色相を表現することが可能であり、前記式（１）で表される。
【００１３】
式（１）中、ｎは０〜５の整数を表す。好ましくは０〜４、より好ましくは０〜３、さらに好ましくは０〜２、特に好ましくは０である。
【００１４】
Ｒ1、Ｒ2及びＲ3（以下、「Ｒ1〜Ｒ３」と記載することもある）は、それぞれ独立に水素原子又は置換基を表す。
【００１５】
式（１）中、Ｒ1、Ｒ2、Ｒ3は、水素原子、カルバモイル基、ヒドロキシ基、シアノ基、アミノ基、及びハロゲン原子であるときを除き、置換基として、イオン性親水性基をさらに有しても良い。イオン性親水性基としては、スルホ基、カルボキシ基、ホスホ基［−Ｐ（Ｏ）（ＯＨ）2基］、及び４級アンモニウム基よりなる群から選択される基が挙げられる。これらの中ではスルホ基、及び／又はカルボキシ基が好ましく、スルホ基がより好ましい。
該イオン性親水性基の数は、式（１）中に記載された２つのスルホ基を除き、通常０〜３つ、好ましくは０〜２つ、より好ましくは０又は１つである。式（１）で表される色素が十分な水溶性（おおよそ水１リットルに対して２０ｇ以上の溶解性）を該式（１）で表される色素が有するときは、さらにイオン性親水性基は有しなくても良い。
【００１６】
Ｒ1〜Ｒ3における置換基としては、以下のものが挙げられる。
すなわち、
直鎖、分岐鎖又は環状のアルキル基、好ましくはＣ１−Ｃ１０アルキル基（具体例としては、メチル、エチル、ｎ−プロピル、ｎ−ブチル、ｎ−ペンチル、ｎ−ヘキシル、ｎ−ヘプチル、ｎ−オクチル、ｎ−ノニル、ｎ−デシルといった直鎖のもの；イソプロピル、イソブチル、ｓｅｃ−ブチル、ｔ−ブチル、イソアミル、ｔ−アミル、イソヘキシル、ｔ−ヘキシル、イソヘプチル、ｔ−ヘプチル、イソオクチル、ｔ−オクチル、２−エチルヘキシル、イソノニル、イソデシル等の分岐鎖（好ましくはＣ３−Ｃ１０）のもの；シクロプロピル、シクロブチル、シクロペンチル、シクロヘキシル、シクロヘプチル等の環状（好ましくはＣ３−Ｃ７）のもの；好ましくは直鎖又は分岐鎖のもの、より好ましくは直鎖のものが挙げられる。）；
アリールアルキル基、好ましくはＣ６−Ｃ１２アリールＣ１−Ｃ１０アルキル基、より好ましくはフェニルＣ１−Ｃ６アルキル基、さらに好ましくはフェニルＣ１−Ｃ４アルキル基（具体例としてはフェニルメチル、２−フェニルエチル、３−フェニルプロピル、４−フェニルブチル、５−フェニルペンチル、５−フェニルヘキシル等のアルキル部分が直鎖のもの；α−メチルベンジル等のアルキル部分が分岐鎖のもの；等が挙げられる。）；
アリール基、好ましくはＣ６−Ｃ１２アリール基（具体例としては、フェニル、ナフチル、ビフェニル等が挙げられる。）；
環構成原子として窒素原子、酸素原子、硫黄原子から選択される１乃至３つの原子を含む、５又は６員環の複素環基（好ましくは複素環部分が芳香族のもの。具体例としては、ピロリジニル、テトラヒドロフリル、テトラヒドロチオフェン−２−イル、テトラヒドロチオフェン−３−イル等の５員脂環式のもの；ピペリジニル、ピペラジニル、ジオキサン−２−イル、モルホリニル、チオモルホリニル等の６員脂環式のもの；ピロール、ピラゾール、イミダゾール、トリアゾール、フリル、チオフェン−２−イル、チオフェン−３−イル、オキサゾール、チアゾール等の芳香族５員環のもの；ピリジン、ピラジン、ピリダジン、トリアジン等の芳香族６員環のもの；等が挙げられる。）、なお、前記のうち環構成原子としては窒素原子、及び硫黄原子から選択されるのが好ましい；
環構成原子として窒素原子、酸素原子、硫黄原子から選択される１乃至３つの原子を含む、５又は６員環の複素環アミノ基（好ましくは複素環部分が芳香族のもの。具体例としては、ピロリジニルアミノ、テトラヒドロフリルアミノ、テトラヒドロチオフェン−２−イルアミノ、テトラヒドロチオフェン−３−イルアミノ等の５員脂環式アミノのもの；ピペリジニルアミノ、ピペラジニルアミノ、ジオキサン−２−イルアミノ、モルホリニルアミノ、チオモルホリニルアミノ等の６員脂環式のもの；ピロールアミノ、ピラゾールアミノ、イミダゾールアミノ、トリアゾールアミノ、フリルアミノ、チオフェン−２−イルアミノ、チオフェン−３−イルアミノ、オキサゾールアミノ、チアゾールアミノ等の芳香族５員環のもの；ピリジルアミノ、ピラジルアミノ、ピリダジニルアミノ、トリアジニルアミノ等の芳香族６員環のもの；等が挙げられる。）、なお、前記のうち環構成原子としては窒素原子、及び硫黄原子から選択されるのが好ましい；
環構成原子として窒素原子、酸素原子、硫黄原子から選択される１乃至３つの原子を含む、５又は６員環の複素環基に、１つのベンゼン環が縮環した縮環型５又は６員環の複素環アミノ基（好ましくは複素環部分が芳香族のもの。具体例としては、フタラニルアミノ等の複素環部分が５員脂環式のもの；ベンゾピラニルアミノ等の複素環部分が６員脂環式のもの；ベンズピロールアミノ、ベンズピラゾールアミノ、ベンズイミダゾールアミノ、ベンゾトリアゾールアミノ、ベンゾフラニルアミノ、ベンゾチオフェン−２−イルアミノ、ベンゾチオフェン−３−イルアミノ、ベンゾキサゾールアミノ、ベンゾチアゾールアミノ等の複素環部分が芳香族５員環のもの；キノリニルアミノ、シンノリニルアミノ、フタラジニルアミノ、キナゾリニルアミノ、キノキサリニルアミノ等の複素環部分が芳香族６員環のもの；等が挙げられる。）、なお、前記のうち環構成原子としては窒素原子、及び硫黄原子から選択されるのが好ましい；
直鎖、分岐鎖又は環状のアルコキシ基、好ましくはＣ１−Ｃ１０アルコキシ基（具体例としては、メトキシ、エトキシ、ｎ−プロポキシ、ｎ−ブトキシ、ｎ−ペントキシ、ｎ−ヘキシロキシ、ｎ−ヘプトキシ、ｎ−オクチロキシ、ｎ−ノニロキシ、ｎ−デシロキシといった直鎖のもの；イソプロポキシ、イソブトキシ、ｓｅｃ−ブトキシ、ｔ−ブトキシ、イソアミロキシ、ｔ−アミロキシ、イソヘキシロキシ、ｔ−ヘキシロキシ、イソヘプトキシ、ｔ−ヘプトキシ、イソオクチロキシ、ｔ−オクチロキシ、２−エチルヘキシロキシ、イソノニロキシ、イソデシロキシ等の分岐鎖（好ましくはＣ３−Ｃ１０）のもの；シクロプロポキシ、シクロブトキシ、シクロペントキシ、シクロヘキシロキシ、シクロヘプトキシ等の環状（好ましくはＣ３−Ｃ７）のもの；好ましくは直鎖又は分岐鎖のものが挙げられる。）；
アリールオキシ基、好ましくはＣ６−Ｃ１２アリールオキシ基（具体例としては、フェノキシ、ナフチロキシ、ビフェニロキシ等が挙げられる。）；
直鎖、分岐鎖又は環状のアルキルカルボニルアミノ基、好ましくはＣ１−Ｃ１０アルキルカルボニルアミノ基（具体例としては、メチルカルボニルアミノ、エチルカルボニルアミノ、ｎ−プロピルカルボニルアミノ、ｎ−ブチルカルボニルアミノ、ｎ−ペンチルカルボニルアミノ、ｎ−ヘキシルカルボニルアミノ、ｎ−ヘプチルカルボニルアミノ、ｎ−オクチルカルボニルアミノ、ｎ−ノニルカルボニルアミノ、ｎ−デシルカルボニルアミノといった直鎖のもの；イソプロピルカルボニルアミノ、イソブチルカルボニルアミノ、ｓｅｃ−ブチルカルボニルアミノ、ｔ−ブチルカルボニルアミノ、イソアミルカルボニルアミノ、ｔ−アミルカルボニルアミノ、イソヘキシルカルボニルアミノ、ｔ−ヘキシルカルボニルアミノ、イソヘプチルカルボニルアミノ、ｔ−ヘプチルカルボニルアミノ、イソオクチルカルボニルアミノ、ｔ−オクチルカルボニルアミノ、２−エチルヘキシルカルボニルアミノ、イソノニルカルボニルアミノ、イソデシルカルボニルアミノ等の分岐鎖（好ましくはＣ３−Ｃ１０）のもの；シクロプロピルカルボニルアミノ、シクロブチルカルボニルアミノ、シクロペンチルカルボニルアミノ、シクロヘキシルカルボニルアミノ、シクロヘプチルカルボニルアミノ等の環状（好ましくはＣ３−Ｃ７）のもの；好ましくは直鎖又は分岐鎖のもの、より好ましくは直鎖のものが挙げられる。）；
アリールカルボニルアミノ基、好ましくはＣ６−Ｃ１２アリールカルボニルアミノ基（具体例としては、フェニルカルボニルアミノ、ナフチルカルボニルアミノ、ビフェニルカルボニルアミノ等が挙げられる。）；
直鎖、分岐鎖又は環状のアルキルカルボニルオキシ基、好ましくはＣ１−Ｃ１０アルキルカルボニルオキシ基（具体例としては、メチルカルボニルオキシ、エチルカルボニルオキシ、ｎ−プロピルカルボニルオキシ、ｎ−ブチルカルボニルオキシ、ｎ−ペンチルカルボニルオキシ、ｎ−ヘキシルカルボニルオキシ、ｎ−ヘプチルカルボニルオキシ、ｎ−オクチルカルボニルオキシ、ｎ−ノニルカルボニルオキシ、ｎ−デシルカルボニルオキシといった直鎖のもの；イソプロピルカルボニルオキシ、イソブチルカルボニルオキシ、ｓｅｃ−ブチルカルボニルオキシ、ｔ−ブチルカルボニルオキシ、イソアミルカルボニルオキシ、ｔ−アミルカルボニルオキシ、イソヘキシルカルボニルオキシ、ｔ−ヘキシルカルボニルオキシ、イソヘプチルカルボニルオキシ、ｔ−ヘプチルカルボニルオキシ、イソオクチルカルボニルオキシ、ｔ−オクチルカルボニルオキシ、２−エチルヘキシルカルボニルオキシ、イソノニルカルボニルオキシ、イソデシルカルボニルオキシ等の分岐鎖（好ましくはＣ３−Ｃ１０）のもの；シクロプロピルカルボニルオキシ、シクロブチルカルボニルオキシ、シクロペンチルカルボニルオキシ、シクロヘキシルカルボニルオキシ、シクロヘプチルカルボニルオキシ等の環状（好ましくはＣ３−Ｃ７）のもの；好ましくは直鎖又は分岐鎖のもの、より好ましくは直鎖のものが挙げられる。）；
アリールカルボニルオキシ基、好ましくはＣ６−Ｃ１２アリールカルボニルオキシ基（具体例としては、フェニルカルボニルオキシ、ナフチルカルボニルオキシ、ビフェニルカルボニルオキシ等が挙げられる。）；
直鎖、分岐鎖又は環状のアルキルカルボニル基、好ましくはＣ１−Ｃ１０アルキルカルボニル基（具体例としては、メチルカルボニル、エチルカルボニル、ｎ−プロピルカルボニル、ｎ−ブチルカルボニル、ｎ−ペンチルカルボニル、ｎ−ヘキシルカルボニル、ｎ−ヘプチルカルボニル、ｎ−オクチルカルボニル、ｎ−ノニルカルボニル、ｎ−デシルカルボニルといった直鎖のもの；イソプロピルカルボニル、イソブチルカルボニル、ｓｅｃ−ブチルカルボニル、ｔ−ブチルカルボニル、イソアミルカルボニル、ｔ−アミルカルボニル、イソヘキシルカルボニル、ｔ−ヘキシルカルボニル、イソヘプチルカルボニル、ｔ−ヘプチルカルボニル、イソオクチルカルボニル、ｔ−オクチルカルボニル、２−エチルヘキシルカルボニル、イソノニルカルボニル、イソデシルカルボニル等の分岐鎖（好ましくはＣ３−Ｃ１０）のもの；シクロプロピルカルボニル、シクロブチルカルボニル、シクロペンチルカルボニル、シクロヘキシルカルボニル、シクロヘプチルカルボニル等の環状（好ましくはＣ３−Ｃ７）のもの；好ましくは直鎖又は分岐鎖のもの、より好ましくは直鎖のものが挙げられる。）；
アリールカルボニル基、好ましくはＣ６−Ｃ１２アリールカルボニル基（具体例としては、フェニルカルボニル（ベンゾイル）、ナフチルカルボニル、ビフェニルカルボニル等が挙げられる。）；
カルバモイル基；
直鎖、分岐鎖又は環状のモノアルキルカルバモイル基、好ましくはモノＣ１−Ｃ１０アルキルカルバモイル基（具体例としては、メチルカルバモイル、エチルカルバモイル、ｎ−プロピルカルバモイル、ｎ−ブチルカルバモイル、ｎ−ペンチルカルバモイル、ｎ−ヘキシルカルバモイル、ｎ−ヘプチルカルバモイル、ｎ−オクチルカルバモイル、ｎ−ノニルカルバモイル、ｎ−デシルカルバモイルといった直鎖のもの；イソプロピルカルバモイル、イソブチルカルバモイル、ｓｅｃ−ブチルカルバモイル、ｔ−ブチルカルバモイル、イソアミルカルバモイル、ｔ−アミルカルバモイル、イソヘキシルカルバモイル、ｔ−ヘキシルカルバモイル、イソヘプチルカルバモイル、ｔ−ヘプチルカルバモイル、イソオクチルカルバモイル、ｔ−オクチルカルバモイル、２−エチルヘキシルカルバモイル、イソノニルカルバモイル、イソデシルカルバモイル等の分岐鎖（好ましくはＣ３−Ｃ１０）のもの；シクロプロピルカルバモイル、シクロブチルカルバモイル、シクロペンチルカルバモイル、シクロヘキシルカルバモイル、シクロヘプチルカルバモイル等の環状（好ましくはＣ３−Ｃ７）のもの；好ましくは直鎖又は分岐鎖のもの、より好ましくは直鎖のものが挙げられる。）；
直鎖、分岐鎖又は環状のジアルキルカルバモイル基、好ましくはジＣ１−Ｃ１０アルキルカルバモイル基（具体例としては、ジメチルカルバモイル、ジエチルカルバモイル、ジ−ｎ−プロピルカルバモイル、ジ−ｎ−ブチルカルバモイル、ジ−ｎ−ペンチルカルバモイル、ジ−ｎ−ヘキシルカルバモイル、ジ−ｎ−ヘプチルカルバモイル、ジ−ｎ−オクチルカルバモイル、ジ−ｎ−ノニルカルバモイル、ジ−ｎ−デシルカルバモイルといった直鎖のもの；ジイソプロピルカルバモイル、ジイソブチルカルバモイル、ジ−ｓｅｃ−ブチルカルバモイル、ジ−ｔ−ブチルカルバモイル、ジイソアミルカルバモイル、ジ−ｔ−アミルカルバモイル、ジイソヘキシルカルバモイル、ジ−ｔ−ヘキシルカルバモイル、ジイソヘプチルカルバモイル、ジ−ｔ−ヘプチルカルバモイル、ジイソオクチルカルバモイル、ジ−ｔ−オクチルカルバモイル、ジ−（２−エチルヘキシル）カルバモイル、ジイソノニルカルバモイル、ジイソデシルカルバモイル等の分岐鎖（好ましくはＣ３−Ｃ１０の分岐鎖を２つ有する）のもの；ジシクロプロピルカルバモイル、ジシクロブチルカルバモイル、ジシクロペンチルカルバモイル、ジシクロヘキシルカルバモイル、ジシクロヘプチルカルバモイル等の環状（好ましくはＣ３−Ｃ７の環状基を２つ有する）のもの；好ましくは直鎖又は分岐鎖のもの、より好ましくは直鎖のものが挙げられる。）；
モノアリールカルバモイル基、好ましくはモノＣ６−Ｃ１２アリールカルバモイル基（具体例としては、フェニルカルバモイル、ナフチルカルバモイル、ビフェニルカルバモイル等が挙げられる。）；
ジアリールカルバモイル基、好ましくはジＣ６−Ｃ１２アリールカルバモイル基（具体例としては、ジフェニルカルバモイル、ジナフチルカルバモイル、ジ（ビフェニル）カルバモイル等が挙げられる。）；
直鎖、分岐鎖又は環状のアルコキシカルボニル基、好ましくはＣ１−Ｃ１０アルコキシカルボニル基（具体例としては、メトキシカルボニル、エトキシカルボニル、ｎ−プロポキシカルボニル、ｎ−ブトキシカルボニル、ｎ−ペントキシカルボニル、ｎ−ヘキシロキシカルボニル、ｎ−ヘプトキシカルボニル、ｎ−オクチロキシカルボニル、ｎ−ノニロキシカルボニル、ｎ−デシロキシカルボニルといった直鎖のもの；イソプロポキシカルボニル、イソブトキシカルボニル、ｓｅｃ−ブトキシカルボニル、ｔ−ブトキシカルボニル、イソアミロキシカルボニル、ｔ−アミロキシカルボニル、イソヘキシロキシカルボニル、ｔ−ヘキシロキシカルボニル、イソヘプトキシカルボニル、ｔ−ヘプトキシカルボニル、イソオクチロキシカルボニル、ｔ−オクチロキシカルボニル、２−エチルヘキシロキシカルボニル、イソノニロキシカルボニル、イソデシロキシカルボニル等の分岐鎖（好ましくはＣ３−Ｃ１０）のもの；シクロプロポキシカルボニル、シクロブトキシカルボニル、シクロペントキシカルボニル、シクロヘキシロキシカルボニル、シクロヘプトキシカルボニル等の環状（好ましくはＣ３−Ｃ７）のもの；好ましくは直鎖又は分岐鎖のもの、より好ましくは直鎖のものが挙げられる。）；
アリールオキシカルボニル基、好ましくはＣ６−Ｃ１２アリールオキシカルボニル基（具体例としては、フェノキシカルボニル、ナフチロキシカルボニル、ビフェニロキシカルボニル等が挙げられる。）；
直鎖、分岐鎖又は環状のアルキルスルホニルアミノ基、好ましくはＣ１−Ｃ１０アルキルスルホニルアミノ基（具体例としては、メチルスルホニルアミノ、エチルスルホニルアミノ、ｎ−プロピルスルホニルアミノ、ｎ−ブチルスルホニルアミノ、ｎ−ペンチルスルホニルアミノ、ｎ−ヘキシルスルホニルアミノ、ｎ−ヘプチルスルホニルアミノ、ｎ−オクチルスルホニルアミノ、ｎ−ノニルスルホニルアミノ、ｎ−デシルスルホニルアミノといった直鎖のもの；イソプロピルスルホニルアミノ、イソブチルスルホニルアミノ、ｓｅｃ−ブチルスルホニルアミノ、ｔ−ブチルスルホニルアミノ、イソアミルスルホニルアミノ、ｔ−アミルスルホニルアミノ、イソヘキシルスルホニルアミノ、ｔ−ヘキシルスルホニルアミノ、イソヘプチルスルホニルアミノ、ｔ−ヘプチルスルホニルアミノ、イソオクチルスルホニルアミノ、ｔ−オクチルスルホニルアミノ、２−エチルヘキシルスルホニルアミノ、イソノニルスルホニルアミノ、イソデシルスルホニルアミノ等の分岐鎖（好ましくはＣ３−Ｃ１０）のもの；シクロプロピルスルホニルアミノ、シクロブチルスルホニルアミノ、シクロペンチルスルホニルアミノ、シクロヘキシルスルホニルアミノ、シクロヘプチルスルホニルアミノ等の環状（好ましくはＣ３−Ｃ７）のもの；好ましくは直鎖又は分岐鎖のもの、より好ましくは直鎖のものが挙げられる。）；
アリールスルホニルアミノ基、好ましくはＣ６−Ｃ１２アリールスルホニルアミノ基（具体例としては、フェニルスルホニルアミノ、トルエンスルホニルアミノ、ナフチルスルホニルアミノ、ビフェニルスルホニルアミノ等が挙げられる。）；
スルファモイル基；
直鎖、分岐鎖又は環状のモノアルキルスルファモイル基、好ましくはモノＣ１−Ｃ１０アルキルスルファモイル基（具体例としては、メチルスルファモイル、エチルスルファモイル、ｎ−プロピルスルファモイル、ｎ−ブチルスルファモイル、ｎ−ペンチルスルファモイル、ｎ−ヘキシルスルファモイル、ｎ−ヘプチルスルファモイル、ｎ−オクチルスルファモイル、ｎ−ノニルスルファモイル、ｎ−デシルスルファモイルといった直鎖のもの；イソプロピルスルファモイル、イソブチルスルファモイル、ｓｅｃ−ブチルスルファモイル、ｔ−ブチルスルファモイル、イソアミルスルファモイル、ｔ−アミルスルファモイル、イソヘキシルスルファモイル、ｔ−ヘキシルスルファモイル、イソヘプチルスルファモイル、ｔ−ヘプチルスルファモイル、イソオクチルスルファモイル、ｔ−オクチルスルファモイル、２−エチルヘキシルスルファモイル、イソノニルスルファモイル、イソデシルスルファモイル等の分岐鎖（好ましくはＣ３−Ｃ１０）のもの；シクロプロピルスルファモイル、シクロブチルスルファモイル、シクロペンチルスルファモイル、シクロヘキシルスルファモイル、シクロヘプチルスルファモイル等の環状（好ましくはＣ３−Ｃ７）のもの；好ましくは直鎖又は分岐鎖のもの、より好ましくは直鎖のものが挙げられる。）；
直鎖、分岐鎖又は環状のジアルキルスルファモイル基、好ましくはジＣ１−Ｃ１０アルキルスルファモイル基（具体例としては、ジメチルスルファモイル、ジエチルスルファモイル、ジ−ｎ−プロピルスルファモイル、ジ−ｎ−ブチルスルファモイル、ジ−ｎ−ペンチルスルファモイル、ジ−ｎ−ヘキシルスルファモイル、ジ−ｎ−ヘプチルスルファモイル、ジ−ｎ−オクチルスルファモイル、ジ−ｎ−ノニルスルファモイル、ジ−ｎ−デシルスルファモイルといった直鎖のもの；ジイソプロピルスルファモイル、ジイソブチルスルファモイル、ジ−ｓｅｃ−ブチルスルファモイル、ジ−ｔ−ブチルスルファモイル、ジイソアミルスルファモイル、ジ−ｔ−アミルスルファモイル、ジイソヘキシルスルファモイル、ジ−ｔ−ヘキシルスルファモイル、ジイソヘプチルスルファモイル、ジ−ｔ−ヘプチルスルファモイル、ジイソオクチルスルファモイル、ジ−ｔ−オクチルスルファモイル、ジ−（２−エチルヘキシル）スルファモイル、ジイソノニルスルファモイル、ジイソデシルスルファモイル等の分岐鎖（好ましくはＣ３−Ｃ１０の分岐鎖を２つ有する）のもの；ジシクロプロピルスルファモイル、ジシクロブチルスルファモイル、ジシクロペンチルスルファモイル、ジシクロヘキシルスルファモイル、ジシクロヘプチルスルファモイル等の環状（好ましくはＣ３−Ｃ７の環状基を２つ有する）のもの；好ましくは直鎖又は分岐鎖のもの、より好ましくは直鎖のものが挙げられる。）；
モノアリールスルファモイル基、好ましくはモノＣ６−Ｃ１２アリールスルファモイル基（具体例としては、フェニルスルファモイル、ナフチルスルファモイル、ビフェニルスルファモイル等が挙げられる。）；
ジアリールスルファモイル基、好ましくはジＣ６−Ｃ１２アリールスルファモイル基（具体例としては、ジフェニルスルファモイル、ジナフチルスルファモイル、ジ（ビフェニル）スルファモイル等が挙げられる。）；
ヒドロキシ基；
直鎖、分岐鎖又は環状のアルキルスルホニル基、好ましくはＣ１−Ｃ１２アルキルスルホニル基（具体例としては、メチルスルホニル、エチルスルホニル、ｎ−プロピルスルホニル、ｎ−ブチルスルホニル、ｎ−ペンチルスルホニル、ｎ−ヘキシルスルホニル、ｎ−ヘプチルスルホニル、ｎ−オクチルスルホニル、ｎ−ノニルスルホニル、ｎ−デシルスルホニル、ｎ−ウンデシルスルホニル、ｎ−ドデシルスルホニルといった直鎖のもの；イソプロピルスルホニル、イソブチルスルホニル、ｓｅｃ−ブチルスルホニル、ｔ−ブチルスルホニル、イソアミルスルホニル、ｔ−アミルスルホニル、イソヘキシルスルホニル、ｔ−ヘキシルスルホニル、イソヘプチルスルホニル、ｔ−ヘプチルスルホニル、イソオクチルスルホニル、ｔ−オクチルスルホニル、２−エチルヘキシルスルホニル、イソノニルスルホニル、イソデシルスルホニル、イソウンデシルスルホニル、ｔ−ウンデシルスルホニル、イソドデシルスルホニル、ｔ−ドデシルスルホニル等の分岐鎖（好ましくはＣ３−Ｃ１２）のもの；シクロプロピルスルホニル、シクロブチルスルホニル、シクロペンチルスルホニル、シクロヘキシルスルホニル、シクロヘプチルスルホニル等の環状（好ましくはＣ３−Ｃ７）のもの；好ましくは直鎖又は分岐鎖のもの、より好ましくは直鎖のものが挙げられる。）；
アリールスルホニル基、Ｃ６−Ｃ１２アリールスルホニル基（具体例としては、フェニルスルホニル、ナフチルスルホニル、ビフェニルスルホニル等が挙げられる。）；
直鎖、分岐鎖又は環状のアルキルチオ基、好ましくはＣ１−Ｃ１０アルキルチオ基（具体例としては、メチルチオ、エチルチオ、ｎ−プロピルチオ、ｎ−ブチルチオ、ｎ−ペンチルチオ、ｎ−ヘキシルチオ、ｎ−ヘプチルチオ、ｎ−オクチルチオ、ｎ−ノニルチオ、ｎ−デシルチオといった直鎖のもの；イソプロピルチオ、イソブチルチオ、ｓｅｃ−ブチルチオ、ｔ−ブチルチオ、イソアミルチオ、ｔ−アミルチオ、イソヘキシルチオ、ｔ−ヘキシルチオ、イソヘプチルチオ、ｔ−ヘプチルチオ、イソオクチルチオ、ｔ−オクチルチオ、２−エチルヘキシルチオ、イソノニルチオ、イソデシルチオ等の分岐鎖（好ましくはＣ３−Ｃ１０）のもの；シクロプロピルチオ、シクロブチルチオ、シクロペンチルチオ、シクロヘキシルチオ、シクロヘプチルチオ等の環状（好ましくはＣ３−Ｃ７）のもの；好ましくは直鎖又は分岐鎖のもの、より好ましくは直鎖のものが挙げられる。）；
アリールチオ基、好ましくはＣ６−Ｃ１２アリールチオ基（具体例としては、フェニルチオ、ナフチルチオ、ビフェニルチオ等が挙げられる。）；
ウレイド基；
直鎖、分岐鎖又は環状のモノアルキルウレイド基、好ましくはモノＣ１−Ｃ１０アルキルウレイド基（具体例としては、メチルウレイド、エチルウレイド、ｎ−プロピルウレイド、ｎ−ブチルウレイド、ｎ−ペンチルウレイド、ｎ−ヘキシルウレイド、ｎ−ヘプチルウレイド、ｎ−オクチルウレイド、ｎ−ノニルウレイド、ｎ−デシルウレイドといった直鎖のもの；イソプロピルウレイド、イソブチルウレイド、ｓｅｃ−ブチルウレイド、ｔ−ブチルウレイド、イソアミルウレイド、ｔ−アミルウレイド、イソヘキシルウレイド、ｔ−ヘキシルウレイド、イソヘプチルウレイド、ｔ−ヘプチルウレイド、イソオクチルウレイド、ｔ−オクチルウレイド、２−エチルヘキシルウレイド、イソノニルウレイド、イソデシルウレイド等の分岐鎖（好ましくはＣ３−Ｃ１０）のもの；シクロプロピルウレイド、シクロブチルウレイド、シクロペンチルウレイド、シクロヘキシルウレイド、シクロヘプチルウレイド等の環状（好ましくはＣ３−Ｃ７）のもの；好ましくは直鎖又は分岐鎖のもの、より好ましくは直鎖のものが挙げられる。）；
直鎖、分岐鎖又は環状のジアルキルウレイド基、好ましくはジＣ１−Ｃ１０アルキルウレイド基（具体例としては、ジメチルウレイド、ジエチルウレイド、ジ−ｎ−プロピルウレイド、ジ−ｎ−ブチルウレイド、ジ−ｎ−ペンチルウレイド、ジ−ｎ−ヘキシルウレイド、ジ−ｎ−ヘプチルウレイド、ジ−ｎ−オクチルウレイド、ジ−ｎ−ノニルウレイド、ジ−ｎ−デシルウレイドといった直鎖のもの；ジイソプロピルウレイド、ジイソブチルウレイド、ジ−ｓｅｃ−ブチルウレイド、ジ−ｔ−ブチルウレイド、ジイソアミルウレイド、ジ−ｔ−アミルウレイド、ジイソヘキシルウレイド、ジ−ｔ−ヘキシルウレイド、ジイソヘプチルウレイド、ジ−ｔ−ヘプチルウレイド、ジイソオクチルウレイド、ジ−ｔ−オクチルウレイド、ジ−（２−エチルヘキシル）ウレイド、ジイソノニルウレイド、ジイソデシルウレイド等の分岐鎖（好ましくはＣ３−Ｃ１０の分岐鎖を２つ有する）のもの；ジシクロプロピルウレイド、ジシクロブチルウレイド、ジシクロペンチルウレイド、ジシクロヘキシルウレイド、ジシクロヘプチルウレイド等の環状（好ましくはＣ３−Ｃ７の環状基を２つ有する）のもの；好ましくは直鎖又は分岐鎖のもの、より好ましくは直鎖のものが挙げられる。）；
モノアリールウレイド基、好ましくはモノＣ６−Ｃ１２アリールウレイド基（具体例としては、フェニルウレイド、ナフチルウレイド、ビフェニルウレイド等が挙げられる。）；
ジアリールウレイド基、好ましくはジＣ６−Ｃ１２アリールウレイド基（具体例としては、ジフェニルウレイド、ジナフチルウレイド、ジ（ビフェニル）ウレイド等が挙げられる。）；
直鎖、分岐鎖又は環状のアルコキシカルボニルアミノ基、好ましくはＣ１−Ｃ１０アルコキシカルボニルアミノ基（具体例としては、メトキシカルボニルアミノ、エトキシカルボニルアミノ、ｎ−プロポキシカルボニルアミノ、ｎ−ブトキシカルボニルアミノ、ｎ−ペントキシカルボニルアミノ、ｎ−ヘキシロキシカルボニルアミノ、ｎ−ヘプトキシカルボニルアミノ、ｎ−オクチロキシカルボニルアミノ、ｎ−ノニロキシカルボニルアミノ、ｎ−デシロキシカルボニルアミノといった直鎖のもの；イソプロポキシカルボニルアミノ、イソブトキシカルボニルアミノ、ｓｅｃ−ブトキシカルボニルアミノ、ｔ−ブトキシカルボニルアミノ、イソアミロキシカルボニルアミノ、ｔ−アミロキシカルボニルアミノ、イソヘキシロキシカルボニルアミノ、ｔ−ヘキシロキシカルボニルアミノ、イソヘプトキシカルボニルアミノ、ｔ−ヘプトキシカルボニルアミノ、イソオクチロキシカルボニルアミノ、ｔ−オクチロキシカルボニルアミノ、２−エチルヘキシロキシカルボニルアミノ、イソノニロキシカルボニルアミノ、イソデシロキシカルボニルアミノ等の分岐鎖（好ましくはＣ３−Ｃ１０）のもの；シクロプロポキシカルボニルアミノ、シクロブトキシカルボニルアミノ、シクロペントキシカルボニルアミノ、シクロヘキシロキシカルボニルアミノ、シクロヘプトキシカルボニルアミノ等の環状（好ましくはＣ３−Ｃ７）のもの；好ましくは直鎖又は分岐鎖のもの、より好ましくは直鎖のものが挙げられる。）；
アリールオキシカルボニルアミノ基、好ましくはＣ６−Ｃ１２アリールオキシカルボニルアミノ基（具体例としては、フェニルカルボニルアミノ、ナフチルカルボニルアミノ、ビフェニルカルボニルアミノ等が挙げられる。）；
シアノ基；
ニトロ基；
アミノ基；
直鎖、分岐鎖又は環状のモノアルキルアミノ基、好ましくはモノＣ１−Ｃ１０アルキルアミノ基（具体例としては、メチルアミノ、エチルアミノ、ｎ−プロピルアミノ、ｎ−ブチルアミノ、ｎ−ペンチルアミノ、ｎ−ヘキシルアミノ、ｎ−ヘプチルアミノ、ｎ−オクチルアミノ、ｎ−ノニルアミノ、ｎ−デシルアミノといった直鎖のもの；イソプロピルアミノ、イソブチルアミノ、ｓｅｃ−ブチルアミノ、ｔ−ブチルアミノ、イソアミルアミノ、ｔ−アミルアミノ、イソヘキシルアミノ、ｔ−ヘキシルアミノ、イソヘプチルアミノ、ｔ−ヘプチルアミノ、イソオクチルアミノ、ｔ−オクチルアミノ、２−エチルヘキシルアミノ、イソノニルアミノ、イソデシルアミノ等の分岐鎖（好ましくはＣ３−Ｃ１０）のもの；シクロプロピルアミノ、シクロブチルアミノ、シクロペンチルアミノ、シクロヘキシルアミノ、シクロヘプチルアミノ等の環状（好ましくはＣ３−Ｃ７）のもの；好ましくは直鎖又は分岐鎖のもの、より好ましくは直鎖のものが挙げられる。）；
直鎖、分岐鎖又は環状のジアルキルアミノ基、好ましくはジＣ１−Ｃ１０アルキルアミノ基（具体例としては、ジメチルアミノ、ジエチルアミノ、ジ−ｎ−プロピルアミノ、ジ−ｎ−ブチルアミノ、ジ−ｎ−ペンチルアミノ、ジ−ｎ−ヘキシルアミノ、ジ−ｎ−ヘプチルアミノ、ジ−ｎ−オクチルアミノ、ジ−ｎ−ノニルアミノ、ジ−ｎ−デシルアミノといった直鎖のもの；ジイソプロピルアミノ、ジイソブチルアミノ、ジ−ｓｅｃ−ブチルアミノ、ジ−ｔ−ブチルアミノ、ジイソアミルアミノ、ジ−ｔ−アミルアミノ、ジイソヘキシルアミノ、ジ−ｔ−ヘキシルアミノ、ジイソヘプチルアミノ、ジ−ｔ−ヘプチルアミノ、ジイソオクチルアミノ、ジ−ｔ−オクチルアミノ、ジ−（２−エチルヘキシル）アミノ、ジイソノニルアミノ、ジイソデシルアミノ等の分岐鎖（好ましくはＣ３−Ｃ１０の分岐鎖を２つ有する）のもの；ジシクロプロピルアミノ、ジシクロブチルアミノ、ジシクロペンチルアミノ、ジシクロヘキシルアミノ、ジシクロヘプチルアミノ等の環状（好ましくはＣ３−Ｃ７の環状基を２つ有する）のもの；好ましくは直鎖又は分岐鎖のもの、より好ましくは直鎖のものが挙げられる。）；
アリールアミノ基（モノアリールアミノ基又はジアリールアミノ基、好ましくはモノＣ６−Ｃ１２アリールアミノ基）としてモノＣ６−Ｃ１２アリールアミノ基（具体例としては、フェニルアミノ（アニリノ）、ナフチルアミノ、ビフェニルアミノ等が挙げられる。）；
同様にアリールアミノ基としてジＣ６−Ｃ１２アリールアミノ基（具体例としては、ジフェニルアミノ、ジナフチルアミノ、ジ（ビフェニル）アミノ等が挙げられる。）；
メルカプト基（本明細書においては、「−ＳＨ」で表される基を意味する。）；
ハロゲン原子（具体例としては、フッ素原子、塩素原子、臭素原子；好ましくはフッ素原子、塩素原子、臭素原子が挙げられる。）；等が挙げられる。
【００１７】
Ｒ1〜Ｒ3における前記の置換基は、これらの置換基から選択される基を１つ又は２つ、好ましくは１つさらに有してもよい。
特に、前記イオン性親水性基については、イオン性親水性基以外のＲ1〜Ｒ３における置換基が、さらに有する置換基であるのが好ましい。そのときのイオン性親水性基の数については前記の通りである。
【００１８】
前記のうち、Ｒ1〜Ｒ3としては、水素原子；アルキル基；アリールアルキル基；環構成原子として窒素原子、酸素原子、硫黄原子から選択される１乃至３つの原子を含む、５又は６員環の複素環アミノ基；環構成原子として窒素原子、酸素原子、硫黄原子から選択される１乃至３つの原子を含む、５又は６員環の複素環基に、１つのベンゼン環が縮環した縮環型５又は６員環の複素環アミノ基；アルコキシ基；アリールオキシ基；アルキルカルボニルアミノ基；カルバモイル基；ヒドロキシ基；アルキルスルホニル基；アリールチオ基；シアノ基；アミノ基；アリールアミノ基；ハロゲン原子；よりなる群から選択される基であるのが好ましい。
Ｒ1〜Ｒ3としてより好ましくは、水素原子；アルキル基；アリールアルキル基；アリールオキシ基；よりなる群から選択される基である。
【００１９】
前記のうち、Ｒ１としては水素原子、アルキル基又はアリールアルキル基が好ましく、水素原子又はアルキル基がより好ましく、中でもメチル基が特に好ましい。
【００２０】
前記のうち、Ｒ２としては水素原子が好ましい。
【００２１】
前記のうち、Ｒ３としては、水素原子又はアリールオキシ基が挙げられ、水素原子が好ましい。
該アリールオキシ基としてはＣ６−Ｃ１２、好ましくはＣ６−Ｃ１０アリールオキシ基が挙げられる。これらの中ではフェノキシ基が好ましく、置換基として、アルキル基及びイオン性親水性基よりなる群から選択される基を有するフェノキシ基がより好ましい。このときのイオン性親水性基としては、スルホ基又はカルボキシ基が好ましく、カルボキシ基がより好ましい。該アルキル基としては前記「Ｒ1〜Ｒ３における置換基」として挙げたアルキル基と同じものが好ましく、それらの中では分岐鎖のものがより好ましい。
Ｒ３として前記「Ｒ1〜Ｒ３における置換基」、好ましくはアリールオキシ基、を有するとき、その置換位置は特に制限されない。しかし、式（１）において、Ｒ１を置換基として有する窒素原子及びＲ３の両者が置換する環の部分において、前者の置換位置を１位、時計回りに後者の置換位置を４位としたとき、Ｒ３の置換位置は２位であることが特に好ましい。
【００２２】
Ｘは、置換基を有してもよいアルキルチオ基を表し、少なくとも１つのイオン性親水性基を有するアルキルチオ基であるのが好ましい。該イオン性親水性基としては、前記と同じものが挙げられる。但し、Ｘが置換基として有するときは、該イオン性親水性基のうちカルボキシ基が特に好ましい。
Ｘにおけるアルキルチオ基としては、直鎖、分岐鎖又は環状アルキルチオ基が挙げられる。該Ｘは通常Ｃ１−Ｃ１０、好ましくはＣ１−Ｃ６、より好ましくはＣ１−Ｃ４アルキルチオ基である。また、該Ｘは直鎖又は分岐鎖のものが好ましく、直鎖のものがより好ましい。
また、Ｘが少なくとも１つのイオン性親水性基を有するとき、その数に制限はないが、通常１つ〜４つ、好ましくは１つ〜３つ、より好ましくは１つ又は２つである。
該Ｘは置換基として、さらにアミノ基を有してもよい。該アミノ基の置換数に制限は無いが、通常０乃至４、好ましくは０乃至２、より好ましくは０又は１である。
その具体例としては、例えばカルボキシメチルチオ、２−カルボキシエチルチオ、３−カルボキシプロピルチオ、４−カルボキシブチルチオ、５−カルボキシペンチルチオ、６−カルボキシヘキシルチオ、１，２−ジカルボキシ−２−エチルチオ、１，３−ジカルボキシ−３−プロピルチオ等のカルボキシ基を１つ又は２つ有する直鎖のもの；１−アミノ−１−カルボキシ−２−エチルチオ、１−アミノ−１−カルボキシ−３−プロピルチオ等の少なくとも１つのカルボキシ基とアミノ基とを有するもの；２−カルボキシル−２−メチルエチルチオ等の分岐鎖のもの；等が挙げられる。
【００２３】
前記「Ｒ1〜Ｒ3における置換基」及び、Ｒ１、Ｒ2、Ｒ３及びＸとして個別に挙げた各基、置換位置等において、好ましいもの同士の組み合わせはより好ましく、より好ましいもの同士の組み合わせはさらに好ましい。好ましいものとより好ましいものとの組み合わせ、及び、より好ましいものとさらに好ましいものとの組み合わせ等についても同様である。
【００２４】
前記式（１）で表される色素の塩は、無機又は有機陽イオンと形成する塩を意味する。無機陽イオンと形成する塩としては、アルカリ金属、例えばリチウム、ナトリウム、カリウムの各陽イオン；又は、アンモニウム（ＮＨ４＋）；と形成する塩等が好ましく挙げられる。
有機陽イオンと形成する塩としては、下記式（２）で表される有機アンモニウムと形成する塩等が好ましく挙げられる。
【００２５】
【化２】
2014111676.tif 000003
【００２６】
式（２）中、Ｚ1乃至Ｚ4はそれぞれ独立に水素原子、アルキル基、ヒドロキシアルキル基又はヒドロキシアルコキシアルキル基を表わし、Ｚ1乃至Ｚ4の少なくともいずれか１つは水素原子以外の基である。
【００２７】
式（２）中、Ｚ1乃至Ｚ4における具体例としては、メチル、エチル、ブチル、ペンチル、ヘキシル等のＣ１−Ｃ６アルキル基（好ましくはＣ１−Ｃ４アルキル基）；ヒドロキシメチル、２−ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ６アルキル基（好ましくはヒドロキシＣ１−Ｃ４アルキル基）；ヒドロキシエトキシメチル、２−ヒドロキシエトキシエチル、３−ヒドロキシエトキシプロピル、３−ヒドロキシエトキシブチル、２−ヒドロキシエトキシブチル等のヒドロキシＣ１−Ｃ６アルコキシＣ１−Ｃ６アルキル基（好ましくはヒドロキシＣ１−Ｃ４アルコキシＣ１−Ｃ４アルキル基）；等が挙げられる。
【００２８】
これらのうちより好ましいものとしては、ナトリウム、カリウム、リチウム、モノエタノールアミン、ジエタノールアミン、トリエタノールアミン、モノイソプロパノールアミン、ジイソプロパノールアミン、トリイソプロパノールアミン、アンモニウム等の各陽イオンと形成する塩が挙げられる。これらの中で特に好ましいものとしては、リチウム、アンモニウム及びナトリウムの各塩が挙げられる。
【００２９】
式（１）で表される色素の塩は、単一の塩；複数種類の混塩；又は、遊離酸と塩との混合物；等のいずれであってもよい。式（１）で表される色素は、その塩の種類により溶解性等の物理的な性質；又は、該化合物を含有するインクの性能、特に堅牢性に関する性能；等が変化することもある。このため目的とするインクの性能等に応じて、塩の種類を選択することも好ましく行われる。
遊離酸から各種の塩を造塩する方法；各種の塩から遊離酸を得る方法；特定の塩から他の塩へ塩を交換する方法；等については、いずれも当業者であれば周知の方法が使用できる。
【００３０】
本前記式（１）で表される色素の具体例を下記表１及び表２に示すが、本発明はこれらの具体例に限定されるものではない。
各表中、ｎ、及びＲ１〜Ｒ3は、式（１）におけるＲ１〜Ｒ3に対応する。
【００３１】
表中の略号等の意味は、それぞれ以下の通りである。
Ｈ：水素原子。
Ｍｅ：メチル基。
Ｐｈ：フェニル基。
ＣＯ２Ｈ：カルボキシ基。
【００３２】
【表１】
2014111676.tif 000004
【００３３】
【表２】
2014111676.tif 000005
【００３４】
以下に式（１）で表される色素の製造方法を記載する。なお下記式（１０１）〜（１０３）中に記載のＲ１〜Ｒ３、及びｎは、前記式（１）におけるのと同じ意味を表す。
なお、製造方法中に記載の化合物のモル数等については代表的な例であり、当業者であれば必要に応じて適宜増減が可能なことを理解できる。
【００３５】
下記式（１０１）の化合物１モルに、下記式（１０２）で表わされる化合物１．１〜３モルを、キシレン等の極性溶媒中、炭酸ナトリウム等の塩基性化合物の存在下、１３０〜１８０℃で５〜１５時間反応させ、目的とする下記式（１０３）の化合物を得る。式（１０１）におけるＲ4は脱離基を表し、好ましくはハロゲン原子、アルキルスルホニルオキシ基（例えばメチルスルホニルオキシ等）、アリールスルホニルオキシ基（フェニルスルホニルオキシ、トルエンスルホニルオキシ等）よりなる群から選択される基であり、より好ましくは塩素原子、臭素原子又はヨウ素原子であり、中でも臭素原子が特に好ましい。式（１０２）におけるＲ１０２はアルキル基（好ましくはＣ１−Ｃ６アルキル基、より好ましくはＣ１−Ｃ４アルキル基）を表し、具体的にはメチル又はエチルが好ましい。式（１０１）及び式（１０２）の化合物は、市販品として入手できるものもある。
【００３６】
【化１０１】
2014111676.tif 000006
【００３７】
【化１０２】
2014111676.tif 000007
【００３８】
【化１０３】
2014111676.tif 000008
【００３９】
得られた前記式（１０３）の化合物１モルにメタアミノアセトアニリド１〜５モルを、Ｎ，Ｎ−ジメチルホルムアミド等の非プロトン性極性有機溶媒中、炭酸ナトリウムのような塩基及び酢酸銅のような銅触媒の存在下、１１０〜１５０℃、２〜６時間ウルマン反応をおこなって縮合し、下記式（１０４）の化合物を得る。
【００４０】
【化１０４】
2014111676.tif 000009
【００４１】
得られた式（１０４）の化合物を５〜３０％発煙硫酸中、通常８０℃以上、好ましくは８０〜１５０℃、より好ましくは８０〜１４０℃、さらに好ましくは８０〜１３０℃、特に好ましくは８０〜１２０℃で、閉環すると同時にスルホ化及びアセチルアミノ基を加水分解することにより、式（１０５）で表される化合物を得ることができる。
【００４２】
【化１０５】
2014111676.tif 000010
【００４３】
得られた前記式（１０５）の化合物１モルと、例えば下記式（１０６）で表される化合物２〜２．５モルとを水中で、ｐＨ２〜９、２〜１５℃、３０分〜１時間反応させて得られる下記式（１０７）の化合物に、Ｘに対応する化合物２〜５モルを、ｐＨ７〜１０、２０〜９０℃、１０分〜１０時間反応させることにより、前記式（１）で表される色素を得ることができる。
なお、式（１０６）中のＲ4は前記と同じ意味を表すが、２つのＲ4は同じでも異なっていてもよく、また前記したものの中では塩素原子が特に好ましい。
【００４４】
【化１０６】
2014111676.tif 000011
【００４５】
【化１０７】
2014111676.tif 000012
【００４６】
前記式（１）で表される色素は、その総質量中に不純物として含有する金属陽イオンの塩化物（例えば塩化ナトリウム等）及び硫酸塩（例えば硫酸ナトリウム等）等の、無機不純物の少ないものを用いるのが好ましい。その目安としては、例えば、式（１）で表される色素の総質量に対して、無機不純物の含有量は１％以下程度である。無機不純物の少ない色素を製造する方法としては、例えば逆浸透膜を用いる公知の方法；Ｃ１−Ｃ４アルコール（又は場合により含水の該アルコール）等に懸濁させて精製する方法；又は、陰及び陽イオン交換樹脂を適宜用いる公知の方法；等により脱塩処理する方法が挙げられる。
【００４７】
本発明のインク組成物は、前記式（１）で表される色素を色素として含有し、該色素を水又は水性溶媒（後記する水溶性有機溶剤を含有する水）に溶解したものである。
前記インク組成物は、式（１）で表される色素を通常０．１〜２０％、好ましくは１〜１５％、さらに好ましくは２〜１０％含有する。
また、前記インク組成物は色素と水以外の成分として、水溶性有機溶剤を０〜３０％、好ましくは５〜２０％；及び、インク調製剤を０〜１０％；それぞれ含有してもよい。水溶性有機溶剤は色素の溶解、インク組成物の乾燥の防止、粘度の調整、被記録材への浸透の促進、表面張力の調整、消泡等の効果を有することもあるため、インク組成物中には含有する方が好ましい。
【００４８】
前記インク組成物は、例えばインク組成物の色相や印字濃度等を望みのものに（微）調整する目的等により、複数の式（１）で表わされる色素を含有してもよい。また、本発明により得られる効果を阻害しない範囲において、公知の他の色素を含有しても良い。
【００４９】
前記水溶性有機溶剤としては、例えば、メタノール、エタノール、ｎ−プロパノール、イソプロパノール、ｎ−ブタノール、イソブタノール、第二ブタノール、第三ブタノール等のＣ１−Ｃ４アルカノール（アルコール）；Ｎ，Ｎ−ジメチルホルムアミド又はＮ，Ｎ−ジメチルアセトアミド等のカルボン酸アミド；２−ピロリドン、Ｎ−メチル−２−ピロリドン、１，３−ジメチルイミダゾリジン−２−オン又は１，３−ジメチルヘキサヒドロピリミド−２−オン等の複素環式尿素類；アセトン、メチルエチルケトン、２−メチル−２−ヒドロキシペンタン−４−オン等のケトン又はケトアルコール；テトラヒドロフラン、ジオキサン等の環状エーテル；エチレングリコール、１，２−又は１，３−プロピレングリコール、１，２−又は１，４−ブチレングリコール、１，６−ヘキシレングリコール、ジエチレングリコール、トリエチレングリコール、テトラエチレングリコール、ジプロピレングリコール、チオジグリコール、ポリエチレングリコール、ポリプロピレングリコール等のＣ２−Ｃ６アルキレン単位を有するモノ、オリゴ又はポリアルキレングリコール又はチオグリコール；グリセリン、ヘキサン−１，２，６−トリオール等のポリオール（トリオール）；エチレングリコールモノメチルエーテル又はエチレングリコールモノエチルエーテル、ジエチレングリコールモノメチルエーテル、ジエチレングリコールモノエチルエーテル、ジエチレングリコールモノブチルエーテル、トリエチレングリコールモノメチルエーテル又はトリエチレングリコールモノエチルエーテル等の多価アルコールのＣ１−Ｃ４アルキルエーテル；γ−ブチロラクトン；又はジメチルスルホキシド；等が挙げられる。
【００５０】
前記のうち好ましいものとしては、イソプロパノール、グリセリン、モノ、ジ又はトリエチレングリコール、ジプロピレングリコール、２−ピロリドン、Ｎ−メチル−２−ピロリドン、ジエチレングリコールモノブチルエーテルが挙げられ、より好ましくはイソプロパノール、グリセリン、ジエチレングリコールモノブチルエーテル（ブチルカルビトール）、２−ピロリドン、Ｎ−メチル−２−ピロリドンが挙げられる。
これらの水溶性有機溶剤は、単独で使用しても混合しても良い。
【００５１】
前記インク調製剤としては、例えば、防腐防黴剤、ｐＨ調整剤、キレート試薬、防錆剤、水溶性紫外線吸収剤、水溶性高分子化合物、染料溶解剤及び界面活性剤等が挙げられる。
【００５２】
防腐防黴剤としては、例えば、有機硫黄系、有機窒素硫黄系、有機ハロゲン系、ハロアリルスルホン系、ヨードプロパギル系、Ｎ−ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系等の化合物が挙げられる。
有機ハロゲン系化合物としては、例えばペンタクロロフェノールナトリウムが挙げられる。
ピリジンオキシド系化合物としては、例えば２−ピリジンチオール−１−オキシドナトリウムが挙げられる。
イソチアゾリン系化合物としては、例えば１，２−ベンゾイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。
その他の防腐防黴剤としてはソルビン酸ナトリウム、安息香酸ナトリウム、無水酢酸ナトリウム、及びアベシア社製、商品名：プロクセルRTMＧＸＬ（Ｓ）、プロクセルRTMＸＬ−２（Ｓ）等が挙げられる。
なお、本明細書において上付きの「ＲＴＭ」は登録商標を意味する。
【００５３】
ｐＨ調整剤としては、調製されるインクに悪影響を及ぼさずに、インクのｐＨを７．５〜１１．０の範囲に制御できるものであれば任意の物質を使用することができる。例えば、ジエタノールアミン、トリエタノールアミン等のアルカノールアミン；水酸化リチウム、水酸化ナトリウム、水酸化カリウム等のアルカリ金属の水酸化物；水酸化アンモニウム（アンモニア水）；あるいは炭酸リチウム、炭酸ナトリウム、炭酸カリウム等のアルカリ金属の炭酸塩；等が挙げられる。
【００５４】
キレート試薬としては、例えばエチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【００５５】
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００５６】
水溶性紫外線吸収剤としては、例えばスルホ化されたベンゾフェノン、スルホ化されたベンゾトリアゾール等が挙げられる。
【００５７】
水溶性高分子化合物としては、例えばポリビニルアルコール、セルロース誘導体、ポリアミン、ポリイミン等が挙げられる。
【００５８】
染料溶解剤としては、例えば尿素、ε−カプロラクタム、エチレンカーボネート等が挙げられる。
【００５９】
界面活性剤としては、例えばアニオン界面活性剤、両性界面活性剤、カチオン界面活性剤、ノニオン界面活性剤等が挙げられる。
【００６０】
アニオン界面活性剤としてはアルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸、ジオクチルスルホ琥珀酸塩等が挙げられる。
【００６１】
カチオン界面活性剤としては２−ビニルピリジン誘導体、ポリ４−ビニルピリジン誘導体等が挙げられる。
【００６２】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他としてイミダゾリン誘導体等が挙げられる。
【００６３】
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレンアルコール系；他の具体例として、日信化学社製、商品名サーフィノールRTM１０４Ｅ、同１０４ＰＧ５０、同８２、同４６５、商品名オルフィンRTMＳＴＧ等；等が挙げられる。
これらのインク調製剤は、単独で使用しても混合しても良い。
【００６４】
前記インク組成物の製造において、インク組成物に含有する各成分を溶解させる順序には特に制限はない。色素を水又は水性溶媒に溶解させた後、インク調製剤を添加してもよいし、色素を水に溶解させた後、水溶性有機溶剤、インク調製剤を添加してもよい。またこれと順序が異なっていてもよい。
インク組成物に含有する色素としては、例えば、式（１）で表される色素の合成工程における、最終工程終了後の反応液等から晶析；又はスプレー乾燥；等の操作により色素を単離し、これを乾燥等させたものを使用することができる。
また、該最終工程終了後の反応液；又は、該色素を含有する水溶液に対して逆浸透膜による脱塩処理を行うことにより得られた水溶液；等の色素を含有する液に、水溶性有機溶剤、インク調製剤等を添加してインク組成物を製造してもよい。
インク組成物の調製に用いる水は、イオン交換水又は蒸留水等の不純物の少ないものが好ましい。このようにして調製されたインク組成物は、必要に応じてメンブランフィルター等を用いた精密濾過を行って夾雑物を除いてもよい。インク組成物をインクジェット記録に用いるときは、精密濾過を行うことが好ましい。精密濾過を行うフィルターの孔径は通常１μｍ〜０．１μｍ、好ましくは０．８μｍ〜０．１μｍである。
【００６５】
本発明のインクジェット記録方法は、本発明のインク組成物を含有する容器をインクジェットプリンタの所定の位置に装填し、該インク組成物の（小）液滴を記録信号に応じて吐出させて被記録材に付着させ、記録を行う方法である。
前記インクジェット記録方法は、式（１）で表わされる色素を含有するインク組成物をその色相に応じてマゼンタ〜バイオレット、好ましくはマゼンタのインクとして単独又はインクセットとして使用することができる。
一方、フルカラーの記録画像を得る目的で、式（１）で表わされる色素を含有するインク組成物の他に、例えば公知のイエロー、マゼンタ、シアンの３原色、又はこれにグリーン、オレンジ、レッド、バイオレット、ブルー及びブラック等の各色を加えたインク組成物とのインクセットとしても良い。この際には、前記の各色から適宜選択されるインク組成物をそれぞれ含有する容器を、インクジェットプリンタの所定の位置にそれぞれ装填して使用すればよい。
【００６６】
インクジェットプリンタの吐出方式としては、例えば機械的振動を利用したピエゾ方式；加熱により生じる泡を利用したバブルジェット（登録商標）方式；等が挙げられる。本発明のインク組成物は、これらの方式を含めたいずれの吐出方式においても使用することが可能である。
【００６７】
前記被記録材としては、例えば、紙、フィルム等の情報伝達用シート、繊維や布（セルロース、ナイロン、羊毛等）、皮革、及びカラーフィルター用基材等が挙げられる。
情報伝達用シートとしては表面処理されたもの、具体的には基材（例えば前記の被記録材）にインク受容層を設けたもの等が好ましい。インク受容層は、例えば基材にカチオンポリマーを含浸あるいは塗工すること；多孔質シリカ、アルミナゾルや特殊セラミックス等、インク中の色素を吸着し得る多孔性白色無機物を、ポリビニルアルコールやポリビニールピロリドン等の親水性ポリマーと共に基材表面に塗工すること；等により設けられる。このようなインク受容層を設けたものは、通常インクジェット専用紙（フィルム）や光沢紙（フィルム）等と呼ばれる。市販品としては例えば、（株）ピクトリコ製、商品名ピクトリコRTMプロ；キヤノン社製、商品名プロフェッショナルフォトペーパー、スーパーフォトペーパー、マットフォトペーパー；エプソン（株）製、商品名クリスピアRTM、写真用紙（光沢）、フォトマット紙、スーパーファイン専用光沢フィルム；日本ヒューレット・パッカード(株)製、商品名アドバンスフォトペーパー、プレミアムプラスフォト用紙、プレミアム光沢フィルム、フォト用紙；コニカミノルタフォトイメージング（株）製、商品名フォトライクＱＰ；等が挙げられる。
なお、インク受容層を特に設けていない情報伝達用シート、例えばＰＰＣ（プレインペーパーコピー）用紙等の普通紙も、被記録材として当然使用できる。
【００６８】
前記多孔性白色無機物としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等が挙げられる。
【００６９】
本発明の着色体とは、本発明の色素又は該色素を含有するインク組成物により着色された物質を意味する。着色される物質には特に制限はない。一例としては、例えば前記の被記録材；感熱記録材料におけるインクシート及びこのインクシートにより着色された被記録材；電子写真用のカラートナー及びこれにより着色された被記録材；ＬＣＤ、ＰＤＰ等のディスプレイやＣＣＤ等の撮像素子の製造に用いられる着色硬化性樹脂組成物、及びこの樹脂組成物を用いて製造されたカラーフィルター；等が挙げられるが、着色することができる物質であればこれらに限定されない。
着色方法としては、例えば浸染、捺染、スクリーン印刷、インクジェット記録、感熱記録、電子写真記録等が挙げられる。本発明の着色体としては、本発明のインクジェット記録方法により着色された着色体が好ましい。
【００７０】
本発明のインク組成物は鮮明な色相であり、特に光沢紙において鮮明性の高い色相を有し、記録画像の堅牢性も高い。又、人に対する安全性も高い。
【００７１】
前記式（１）で表される色素は、発色性が良く色再現性に優れた吸収特性を有し、且つ光、熱、湿度、及び環境中の活性ガスに対して充分な堅牢性を有する。その用途としては、例えばインクジェットなどの印刷用のインク、感熱記録材料におけるインクシート、電子写真用のカラートナー、ＬＣＤ、ＰＤＰなどのディスプレイやＣＣＤなどの撮像素子で用いられるカラーフィルター、各種繊維用の染色のための染色液や樹脂着色のためなどの各種着色組成物等が挙げられる。
前記式（１）で表わされる色素を含有するインク組成物は、例えば印捺、複写、マーキング、筆記、製図、スタンピング等の各種の記録や印刷用途に用いることが可能であり、特にインクジェット記録用インクとして好適に用いられる。このインク組成物を用いてインクジェット専用紙や光沢紙に記録した画像は印字濃度が高く、耐水性、耐光性、耐オゾン性、耐摩擦性、及び耐湿性等の各種堅牢性に優れ、インクジェット記録に適した色相を有する。
式（１）で表わされる色素を含有するインク組成物は、その貯蔵中に沈殿、分離することがなく、保存安定性が極めて高い。また、式（１）で表わされ、且つ、イオン性親水性基を前記の範囲で有する色素は水溶解性に優れるため、これを含有する水性インク組成物をインクジェット記録に使用した場合、ノズル付近におけるインク組成物の乾燥による固体析出は非常に起こりにくく、噴射器（インクヘッド）を閉塞することもない。さらに、該インク組成物は、連続式インクジェットプリンタにおける比較的長時間の一定の再循環下での使用；又は、オンデマンド式インクジェットプリンタにおける断続的な使用；等の使用環境においても物理的性質の変化を起こさない。
【実施例】
【００７２】
以下に本発明を実施例によりさらに具体的に説明する。各反応及び晶析等の操作は、特に断りのない限り攪拌下に行った。
実施例中、最大吸収波長（λｍａｘ）の測定は以下のように行った。すなわち、ｐＨ５〜８の色素の水溶液における、紫外可視分光光度計ＵＶ−２５５０（島津製作所社製）での測定値を記載した。
また、一回の合成反応で目的化合物の必要量が得られなかったときは、必要量が得られるまで同じ合成反応を繰り返し行った。
【００７３】
［実施例１］
（工程１）
キシレン１５０部中に、式（３）の化合物（市販品として購入できる）６３．２部、４，４，４−トリフルオロアセト酢酸エチル８２．８部、炭酸水素ナトリウム２．０部、ジアザビシクロウンデセン１．２部を加え、１４０〜１４５℃にて生成するエタノールと水とを、キシレンと共沸させて反応系外へ留出させながら１４時間反応した。この反応液を８０℃まで冷却し、メタノール２００部を滴下し、析出した固体を濾過分取、乾燥させることにより下記式（４）で表される化合物の黄色粉末８５．５部を得た。
【００７４】
【化３】
2014111676.tif 000013
【００７５】
【化４】
2014111676.tif 000014
【００７６】
（工程２）
Ｎ，Ｎ−ジメチルホルムアミド２５０．０部中に、前記式（４）の化合物１２０部、メタアミノアセトアニリド１８０．０部、酢酸銅１水和物２５．０部及び炭酸ナトリウム７０．０部を順次加えて１２０〜１３０℃に昇温し、１０時間反応を行った。反応液を約５０℃に冷却し、メタノール５００部を添加して３０分攪拌した。析出固体を濾過分取し、メタノール５００部、次いで８０℃の温水で洗浄した後、乾燥することにより下記式（５）の化合物５５．４部を青味赤色固体として得た。
【００７７】
【化５】
2014111676.tif 000015
（工程３）
１２．０％発煙硫酸２３０．０部に実施例１（工程２）で得られた式（５）で表される化合物２５．０部を加えた後、９０℃で３時間反応した。得られた液を氷水７００部中に加え、塩化ナトリウム２００部を加え、室温で６０分撹拌した。析出した固体をろ過分取し、ウェットケーキを得た。得られたウェットケーキをメタノール８００部中に加え、６０℃で１時間撹拌した。反応液を室温に冷却し、析出した固体をろ過分取、乾燥することにより、下記式（６）で表される化合物の赤色粉末１８．０部を得た。
【００７８】
【化６】
2014111676.tif 000016
【００７９】
（工程４）
水５００部中に、前記実施例１で得た式（５）で表される化合物３５．０部を加え、撹拌しながら２５％水酸化ナトリウムを加えて完全に溶解させた。この溶液を氷冷し、液温を１０℃以下に保ち、クロロアセチルクロリド２０部を加えて、ｐＨ２．５に保ち３０分攪拌した。ｐＨの調整は２５％水酸化ナトリウム水溶液で行った。この反応液を５０〜６０℃とし、塩化ナトリウム１００部を加え、攪拌し、析出した固体をろ過分取し、ウェットケーキを得た。水６００部中に、３−メルカプトプロピオン酸２５部と得られたウェットケーキ全量を加え、ｐＨ９．５に保ち、５０〜６０℃で３時間撹拌した。ｐＨの調整は２５％水酸化ナトリウム水溶液で行った。反応液を室温まで冷却し、塩化ナトリウム２００部を加え、析出した固体をろ過分取し、乾燥することにより、下記式（７）で表される本発明の色素の赤色粉末２０．５部（λｍａｘ：５２１ｎｍ）を得た。
【００８０】
【化７】
2014111676.tif 000017
【００８１】
［実施例２］
［（Ａ）インク組成物の調製］
実施例１で得られた式（７）で表される色素を色素として用い、下記表３に示す各成分を混合溶解して溶液の水性インク組成物を調製した。得られたインク組成物を０．４５μｍのメンブランフィルターで濾過する事により夾雑物を除き、評価試験用のインクジェットインク組成物を得た。インク組成物の調製に用いた水はイオン交換水であり、インク組成物のｐＨがおよそ９．０となるように２５％水酸化ナトリウム水溶液で調整後、総量が１００部になるように水を加えた。このインク組成物の調製を実施例２とする。
なお、下記表２中、「サーフィノール１０４ＰＧ５０」は商品名であり、日信化学社製のアセチレングリコール系ノニオン界面活性剤である。
【００８２】
【表３】
2014111676.tif 000018
【００８３】
［比較例１］
前記式（７）で表される色素の代わりに、下記式（８）の化合物を比較用の色素として用いる以外は実施例２と同様にして、比較用の水性インクジェットインク組成物を調製した。このインクの調製を比較例１とする。
なお、式（８）の化合物は以下のようにして合成した。
【００８４】
［式（８）の化合物の合成］
Ｎ−メチル−２−ピロリドン１５部中に、実施例１（工程２）で得た式（６）の化合物３．０部、炭酸カリウム０．３部を加え３０℃に加熱した。塩化アセチル０．５部を３０分かけて滴下した後、１０時間反応した。得られた反応液を、２５％塩化ナトリウム水溶液１００部及び３５％塩酸１０部の混合液に加え、室温で撹拌した。この液から析出した固体をろ過分取し、２０％塩化ナトリウム水溶液で洗浄し、ウェットケーキ４．０ｇを得た。得られたウェットケーキを、メタノール２５部及び２−プロパノール５０部の混合液に加えて６０℃で１時間撹拌した後、固体をろ過分取、乾燥することにより、下記式（８）の化合物の赤色粉末２．０部（λｍａｘ：５１９ｎｍ）を得た。
【００８５】
【化８】
2014111676.tif 000019
【００８６】
［（Ｂ）インクジェット記録］
実施例２及び比較例１で調製した各インク組成物を、インクジェットプリンタ（キヤノン社製  商品名：ＰＩＸＵＳRTMｉｐ４５００）を用いて５種類の光沢紙と１種類の普通紙にインクジェット記録を行うことにより記録物を得た。インクジェット記録の際、反射濃度が数段階の階調で得られるように画像パターンを作り、グラデーションを有する記録物を得た。得られた記録物を試験片とし、各種の試験を行なった。
インクジェット記録の被記録材としては、下記の光沢紙１〜５と普通紙１を用いた。
光沢紙１：
キヤノン株式会社製、商品名：キヤノン写真用紙・プラチナグレード。
光沢紙２：
キヤノン株式会社製、商品名：キヤノン写真用紙・光沢ゴールド。
光沢紙３：
セイコーエプソン株式会社製、商品名：写真用紙クリスピア（高光沢）。
光沢紙４：
ブラザー株式会社製、商品名：写真用紙（ＢＰ７１Ｇ）。
普通紙１：
キヤノン株式会社製、商品名ＰＢ  ＰＡＰＥＲ  ＧＦ−５００。
【００８７】
以下の評価試験において、反射濃度の測定には測色システム（商品名ＳｐｅｃｔｒｏＥｙｅRTM、Ｘ−ｒｉｇｈｔ社製）を使用した。測色は、濃度基準にＤＩＮ、測定波長５１０ｎｍ〜５５０ｎｍ、視野角２度、光源Ｄ５０の条件で行った。
【００８８】
［（Ｃ）印字濃度試験］
各試験片のうち、印字濃度が最も高い階調部分について、前記測色システムにより印字濃度を測定した。結果を下記表４に示す。
【００８９】
【表４】
2014111676.tif 000020
【００９０】
表６の結果から印字濃度において、いずれの光沢紙、普通紙においても実施例１は例比較１より極めて優れる結果を示した。
【００９１】
［（Ｄ）耐湿性試験］
ヤマト科学（株）社製の恒温恒湿器（ＩＧ４００）を用いて、３０℃、８０％ＲＨの条件下に各試験片を１６８時間放置した。試験前のＤ値が１．７付近の階調部分について、試験前後の滲みを目視にて判定し、以下Ａ〜Ｃの３段階で評価した。
Ａ：滲みが認められない
Ｂ：わずかに滲みが認められる
Ｃ：明らかに滲みが認められる
結果を下記表５に示す。
なお、この試験では前記のうち光沢紙１及び光沢紙２の２種類を用いた。
【００９２】
【表５】
2014111676.tif 000021
【００９３】
表５の結果から耐湿性において、いずれの光沢紙、普通紙においても実施例１は比較例１より極めて優れる結果を示した。
【００９４】
［実施例３］
実施例１の工程４で使用した３−メルカプトプロピオン酸２５部を、チオリンゴ酸２８部に代える以外は実施例１と同様にして、下記式（９）で表される本発明の色素の赤色粉末１５．５部（λｍａｘ：５２２ｎｍ）を得た。
【００９５】
【化９】
2014111676.tif 000022
【００９６】
［実施例４］
実施例１の工程４で使用した３−メルカプトプロピオン酸２５部を、チオグリコール酸２０部に代える以外は実施例１と同様にして、下記式（１０）で表される本発明の色素の赤色粉末１９．５部（λｍａｘ：５２１ｎｍ）を得た。
【００９７】
【化１０】
2014111676.tif 000023
【００９８】
前記実施例２において使用した実施例１で得られた式（７）で表される色素の代わりに、実施例３及び実施例４で得た式（９）及び式（１０）で表される色素をそれぞれ用いる以外は実施例２と同様にして、溶液の水性インク組成物を調製した。これらのインク組成物の調製を、それぞれ実施例５及び実施例６とする。
実施例２で調製したインク組成物の代わりに実施例５及び実施例６で調製した各インク組成物を用い、前記［（Ｂ）インクジェット記録］と同様にしてグラデーションを有する記録物を得た。得られた記録物を試験片とし、前記［（Ｃ）印字濃度試験］及び［（Ｄ）耐湿性試験］と同じ試験を行なった。但し、各試験に用いた被記録材は２種類ずつとし、［（Ｃ）印字濃度試験］では前記のうち光沢紙１及び普通紙１を、また、［（Ｄ）耐湿性試験］では前記と同様に光沢紙１及び光沢紙２をそれぞれ用いた。
また、比較用のインク組成物としては、前記と同様に比較例１で調製したインク組成物を用いた。
各試験結果を下記表６に示す。
【００９９】
【表６】
2014111676.tif 000024
【０１００】
表６の結果から明らかなように、印字濃度、耐湿性のいずれにおいても各実施例は前記の実施例２と同様に、比較例１より極めて優れる結果を示した。
【産業上の利用可能性】
【０１０１】
本発明の前記式（１）で表わされる色素、及びこれを含有するインク組成物により記録された画像は印字濃度と耐湿性に極めて優れるため、各種の用途、特にインクジェット記録用として非常に有用である。